(57)【要約】【課題】  被撮影者の識別情報等と、当該被撮影者の撮影画像とを容易に結合できるようにすると共に、被撮影者が多くなった場合であっても、従来方式に比べて登録処理を複雑化することなく、被撮影者の撮影画像を容易かつ円滑に登録できるようにする。【解決手段】  被撮影者５に予め通知された撮影カード１０を読み取ると共に、当該被撮影者５を撮影して顔画像を取得し、かつ、その顔画像データに画像ＩＤ番号やパスワード等を関連付けて結合処理する撮影処理装置２０と、この撮影処理装置２０によって情報結合処理された被撮影者５の画像情報及び画像ＩＤ番号やパスワード等を登録する画像情報登録装置３０とを備え、この画像情報登録装置３０は、画像ＩＤ番号やパスワードを予め作成すると共に、当該画像ＩＤ番号やパスワード等を含む撮影カード１０を被撮影者５の各々に通知するように操作されるものである。【選択図】      図１
2005196293.tif 000002
【特許請求の範囲】
【請求項１】
撮影後の各々の被撮影者の画像情報を識別するための情報を識別情報としたとき、当該識別情報に基づいて被撮影者の撮影画像を登録するシステムであって、
前記被撮影者に予め通知された前記識別情報を入力すると共に、当該被撮影者を撮影して画像情報を取得し、かつ、前記被撮影者の画像情報と前記識別情報とを関連付けて結合処理する撮影処理装置と、
前記撮影処理装置によって情報結合処理された前記被撮影者の画像情報及び識別情報を登録する画像情報登録装置とを備え、
前記画像情報登録装置は、
前記識別情報を撮影前に予め作成すると共に、当該識別情報を前記撮影処理装置又は被撮影者の各々に通知するように操作されることを特徴とする撮影画像登録システム。
【請求項２】
前記画像情報登録装置は、
前記識別情報に関して発番処理をする情報管理装置と、
前記撮影処理装置から登録される被撮影者の画像情報及び前記情報管理装置によって発番処理される識別情報を記憶する記憶装置とを備えることを特徴とする請求項１に記載の撮影画像登録システム。
【請求項３】
前記情報管理装置は、
予め被撮影者の属性毎に割り当てられる前記識別情報を発番処理することを特徴とする請求項２に記載の撮影画像登録システム。
【請求項４】
前記識別情報には、
前記被撮影者を特定するためのパスワード又は、前記被撮影者の撮影画像を特定するための画像ＩＤ情報を含むことを特徴とする請求項１に記載の撮影画像登録システム。
【請求項５】
前記画像情報登録装置又は前記撮影処理装置には、
前記情報管理装置により発番処理された前記識別情報に関して目視可能な文字情報及び情報読取可能な符号化情報に分けて任意の記録媒体に印刷出力するプリンタが備えられ、
前記文字情報及び符号化情報が印刷された記録媒体を前記被撮影者の各々に配布するようになされることを特徴とする請求項１に記載の撮影画像登録システム。
【請求項６】
前記撮影処理装置は、
前記被撮影者に予め通知された前記識別情報を入力する入力手段と、
前記被撮影者を撮影して画像情報を取得する撮影手段と、
前記撮影手段によって取得された被撮影者の画像情報に前記入力手段によって入力された識別情報を結合処理する制御装置とを有することを特徴とする請求項１に記載の撮影画像登録システム。
【請求項７】
前記入力手段にはスキャナが使用され、
前記スキャナは、
前記記録媒体の中の符号化情報を読み取って復号化し前記識別情報を取得することを特徴とする請求項６に記載の撮影画像登録システム。
【請求項８】
前記撮影処理装置と前記画像情報登録装置とを接続する通信手段を備え、
前記撮影処理装置は、
情報結合処理した前記被撮影者の画像情報及び識別情報を前記通信手段を通じて前記画像情報登録装置に送信することを特徴とする請求項１に記載の撮影画像登録システム。
【請求項９】
被撮影者の画像情報を含む任意の撮影画像を登録する方法であって、
撮影後の各々の前記被撮影者の画像情報を識別するための任意の識別情報を撮影前に予め作成すると共に、当該識別情報を前記被撮影者の各々に通知し、
撮影時に、
既に通知されている前記被撮影者の識別情報を入力し、かつ、当該被撮影者を撮影して画像情報を取得し、
取得された前記被撮影者の画像情報と前記識別情報とを関連付けて結合し、
前記識別情報を結合した前記被撮影者の画像情報を登録することを特徴とする撮影画像登録方法。
【請求項１０】
前記識別情報には、
前記被撮影者を特定するためのパスワード又は、前記被撮影者の撮影画像を特定するための画像ＩＤ情報を含むことを特徴とする請求項９に記載の撮影画像登録方法。
【請求項１１】
前記識別情報に関して発番処理をし、
発番処理された前記識別情報に関して目視可能な文字情報及び情報読取可能な符号化情報に分けて任意の記録媒体に印刷し、
前記文字情報及び符号化情報が印刷された記録媒体を前記被撮影者の各々に配布することを特徴とする請求項９に記載の撮影画像登録方法。
【請求項１２】
前記被撮影者の属性に応じた前記識別情報を撮影前に予め割り当てて発番処理することを特徴とする請求項１１に記載の撮影画像登録方法。
【請求項１３】
前記識別情報に関して前記記録媒体の中の符号化情報を読み取って復号化し、
復号化された前記識別情報を取得することを特徴とする請求項１１に記載の撮影画像登録方法。
【発明の詳細な説明】
【技術分野】
【０００１】
この発明は、パスポートや、身分証明書、図書館利用カード、各種学校における学生証等に形成する顔写真を電子データで提供する団体撮影サービスシステムに適用して好適な撮影画像登録システム及び撮影画像登録方法に関するものである。
【背景技術】
【０００２】
近年、顔写真の入ったキャッシュカード、従業者証、社員証、会員証、学生証、外国人登録証、パスポート、図書館利用カード及び各種運転免許証などのＩＤカード発行システムが使用される場合が多くなってきた。例えば、従業者数の多い企業では従業者証発行システムが採用される場合が多い。このシステムでは、本社にホストコンピュータが設けられ、そのコンピュータには支社に配属された従業者の個人情報が登録されている。
【０００３】
ここで、個人情報とは氏名、住所、生年月日、従業者証の交付年月日及びその有効期限等をいう。個人情報は文字画像としてカード部材に形成されるものである。支社で例えば従業者証の満期を迎えた者が、その更新を要求する場合に、その者が本社又は支社において、本社のコンピュータにその従業者の個人情報が照会され、本社で照会の結果、その従業者が本社に登録された者であることが確認されると、本社で従業者証を発行するようになされる。更新対象者が多くなると、従業者証発行処理も流れ作業化される場合が多い。このような従業者証発行処理において被撮影者が多くなると、画像撮影システムを分離してＩＤカードを発行する方法が採られるようになる。
【０００４】
この種の画像撮影システムに関連して、特許文献１には、プリントシステム、撮像装置、プリント受け処理装置、プリントサービス方法及び、プリント受付処理方法が開示されている。このプリントシステムによれば、撮像装置、プリント管理装置、プリント受付け処理装置及び、プリント処理装置がネットワークに接続され、プリント受付け処理装置が撮像装置から受信した画像データ単位に識別情報を発行すると共に、撮像装置に識別情報を記憶させ、受信した画像データと識別情報とを関連付けることによって、プリント管理装置がプリント処理装置における印刷を管理するようにしたものである。このような構成を採ると、デジタルカメラで撮像された画像の注文をより簡単に行うことが可能なプリントサービスシステムを構築できるというものである。
【０００５】
【特許文献１】特開２００２−１９１００１号公報
【発明の開示】
【発明が解決しようとする課題】
【０００６】
しかしながら、従来方式の画像撮影システムによれば、以下のような問題がある。
【０００７】
ｉ．従来方式のＩＤカード発行システムから画像撮影システムを分離して、被撮影者の顔画像を集中的に登録し、登録後の顔画像データをインターネット等を通じて取得し、この顔画像データを利用したカード作成システム等を構築しようとした場合に、特許文献１の技術思想をそのまま取り入れただけでは、被撮影者が多くなってくると、被撮影者の撮影画像とその識別情報とを容易かつ円滑に結合することが困難となる。
【０００８】
ii．従って、団体を成す被撮影者の顔撮影をするような場合に、撮影画像の登録処理が複雑化することが懸念される。これは、特許文献１によると、被撮影者の撮影画像を特定するための画像ＩＤ番号は、撮像装置から受信した画像データ単位に識別情報が発行されるが、画像撮影システムへ参入するための被撮影者のパスワードは、撮影画像取得後に結合される場合が多くなるためである。
【０００９】
そこで、この発明は上述した課題を解決したものであって、被撮影者が多くなった場合であっても、従来方式に比べて撮影画像の登録処理を複雑化することなく、被撮影者の撮影画像を容易かつ円滑に登録できるようにした撮影画像登録システム及び撮影画像登録方法を提供することを目的とする。
【課題を解決するための手段】
【００１０】
上記課題を解決するために、本発明に係る撮影画像登録システムは、撮影後の各々の被撮影者の画像情報を識別するための情報を識別情報としたとき、当該識別情報に基づいて被撮影者の撮影画像を登録するシステムであって、被撮影者に予め通知された識別情報を入力すると共に、当該被撮影者を撮影して画像情報を取得し、かつ、被撮影者の画像情報に識別情報を関連付けて情報を結合処理する撮影処理装置と、この撮影処理装置によって情報結合処理された被撮影者の画像情報及び識別情報を登録する画像情報登録装置とを備え、この画像情報登録装置は、識別情報を撮影前に予め作成すると共に、当該識別情報を被撮影者の各々に通知するように操作されることを特徴とするものである。
【００１１】
本発明に係る撮影画像登録システムによれば、撮影後の各々の被撮影者の画像情報を識別するための識別情報に基づいて当該被撮影者の撮影画像を登録する場合に、画像情報登録装置は、その識別情報を撮影前に予め作成すると共に、当該識別情報を被撮影者の各々に通知するように操作される。これを前提にして、撮影時には、被撮影者に予め通知された識別情報が撮影処理装置で入力され、かつ、当該被撮影者が撮影処理装置により撮影されて画像情報が取得され、更に、被撮影者の画像情報に識別情報を関連付けて情報を結合する処理がなされる。画像情報登録装置では、撮影処理装置によって情報結合処理された被撮影者の画像情報及び識別情報が登録される。
【００１２】
従って、予め各々の被撮影者に通知した識別情報と、当該被撮影者の撮影画像とを撮影処理装置で容易に結合することができ、被撮影者が多くなった場合であっても、従来方式に比べて登録処理を複雑化することなく、被撮影者の撮影画像を容易かつ円滑に登録することができる。しかも、画像ＩＤ情報やパスワード等を含めた識別情報を被撮影者の画像を撮影する前に通知できるので、撮影画像の登録に際して、従来方式のように、被撮影者の画像を撮影した後に、当該被撮影者から提供されるパスワードを入力する手間や、このパスワードと画像情報とを照合し結合する処理を省略することができる。
【００１３】
本発明に係る撮影画像登録方法は、被撮影者の画像情報を含む任意の撮影画像を登録する方法であって、撮影後の各々の被撮影者の画像情報を識別するための任意の識別情報を撮影前に予め作成すると共に、当該識別情報を被撮影者の各々に通知に通知し、撮影時に、既に通知されている被撮影者の識別情報を入力し、かつ、当該被撮影者を撮影して画像情報を取得し、ここで取得された被撮影者の画像情報に識別情報を関連付けして結合し、識別情報を結合した被撮影者の画像情報を登録することを特徴とするものである。
【００１４】
本発明に係る撮影画像登録方法によれば、被撮影者の画像情報を含む任意の撮影画像を登録する場合に、予め各々の被撮影者に通知した識別情報と、当該被撮影者の撮影画像とを容易に結合することができ、被撮影者が多くなった場合であっても、従来方式に比べて登録処理を複雑化することなく、被撮影者の撮影画像を容易かつ円滑に登録することができる。しかも、画像ＩＤ情報やパスワード等を含めた識別情報を被撮影者の画像を撮影する前に通知できるので、撮影画像の登録に際して、従来方式のように、被撮影者の画像を撮影した後に、当該被撮影者から提供されるパスワードを入力する手間や、このパスワードと画像情報とを照合し結合するような処理を省略することができる。
【発明の効果】
【００１５】
本発明に係る撮影画像登録システムによれば、撮影後の各々の被撮影者の画像情報を識別するための識別情報に基づいて当該被撮影者の撮影画像を登録する場合に、この識別情報を撮影前に予め作成すると共に、当該識別情報を被撮影者の各々に通知するように操作される画像情報登録装置を備えるものである。
【００１６】
この構成によって、予め各々の被撮影者に通知した識別情報と、当該被撮影者の撮影画像とを撮影処理装置で容易に結合することができ、被撮影者が多くなった場合であっても、従来方式に比べて登録処理を複雑化することなく、被撮影者の撮影画像を容易かつ円滑に登録することができる。しかも、画像ＩＤ情報やパスワード等を含めた識別情報を被撮影者の画像を撮影する前に通知できるので、撮影画像の登録に際して、従来方式のように、被撮影者の画像を撮影した後に、当該被撮影者から提供されるパスワードを入力する手間や、このパスワードと画像情報とを照合し結合する処理を省略することができる。
【００１７】
本発明に係る撮影画像登録方法によれば、被撮影者の画像情報を含む任意の撮影画像を登録する場合に、撮影後の各々の被撮影者の画像情報を識別するための任意の識別情報を撮影前に予め作成すると共に、当該識別情報を被撮影者の各々に通知に通知し、撮影時に、既に通知されている被撮影者の識別情報を入力し、かつ、当該被撮影者を撮影して画像情報を取得し、ここで取得された被撮影者の画像情報に識別情報を関連付けして結合し、識別情報を結合した被撮影者の画像情報を登録するようになされる。
【００１８】
この構成によって、予め各々の被撮影者に通知した識別情報と、当該被撮影者の撮影画像とを容易に結合することができ、被撮影者が多くなった場合であっても、従来方式に比べて登録処理を複雑化することなく、被撮影者の撮影画像を容易かつ円滑に登録することができる。しかも、画像ＩＤ情報やパスワード等を含めた識別情報を被撮影者の画像を撮影する前に通知できるので、撮影画像の登録に際して、従来方式のように、被撮影者の画像を撮影した後に、当該被撮影者から提供されるパスワードを入力する手間や、このパスワードと画像情報とを照合し結合するような処理を省略することができる。
【発明を実施するための最良の形態】
【００１９】
以下、図面を参照しながら、この発明の実施例に係る撮影画像登録システム及び撮影画像登録方法について説明をする。
図１は、本発明の実施例としての撮影画像登録システム１００の構成例を示す概念図である。
この実施例では、撮影後の各々の被撮影者の画像情報を識別するための識別情報に基づいて当該被撮影者の撮影画像を登録する場合に、この識別情報を撮影前に予め作成すると共に、当該識別情報を被撮影者の各々に通知する画像情報登録装置を備え、予め各々の被撮影者に通知した識別情報と、当該被撮影者の撮影画像とを容易に結合できるようにすると共に、従来方式に比べて登録処理を複雑化することなく複数の被撮影者の撮影画像を登録できるようにしたものである。
【００２０】
図１に示す撮影画像登録システム１００は、顔撮影前に発行される識別情報に基づいて被撮影者の撮影画像を登録するシステムである。このシステムは、パスポートや、身分証明書、図書館利用カード、各種学校における学生証等に形成する顔写真を電子データで提供する団体撮影サービスシステムに適用して好適である。ここに識別情報とは、撮影後の各々の被撮影者５の画像情報を識別するための情報をいう。この識別情報には、被撮影者５を特定するためのパスワード又は、被撮影者５の撮影画像を特定するための画像ＩＤ情報（番号）が含まれる。
【００２１】
撮影画像登録システム１００は、撮影処理装置２０及び画像情報登録装置３０を備えている。画像情報登録装置３０は顔画像登録管理業者に配置される。撮影処理装置２０は顔画像登録管理業者と業務提携された写真店や、フォトカプセル（写真撮影ボックス）等の撮影システム内に設けられる。撮影処理装置２０は被撮影者５に予め通知された画像ＩＤ番号やパスワード等を入力すると共に、当該被撮影者５を撮影して画像情報を取得し、かつ、被撮影者５の画像情報に画像ＩＤ番号やパスワード等を関連付けて情報を結合処理するようになされる。
【００２２】
この例で、撮影処理装置２０には通信手段を通じて画像情報登録装置３０が接続され、撮影処理装置２０は、情報結合処理した被撮影者５の画像情報及び画像ＩＤ番号やパスワード等を通信手段を通じて画像情報登録装置３０に登録するようになされる。通信手段にはインターネット２や公衆電話回線が使用される。
【００２３】
インターネット２等に接続される画像情報登録装置３０は、撮影処理装置２０によって情報結合処理された被撮影者５の画像情報及び画像ＩＤ番号やパスワード等を登録するものである。画像情報登録装置３０は、例えば、情報管理装置３１と顔画像サーバー３２とを備える。情報管理装置３１にはデスクトップ型又はノード型のパーソナルコンピュータ（以下パソコンという）が使用される。情報管理装置３１は画像ＩＤ番号やパスワード等に関して発番処理をするようになされる。情報管理装置３１は、例えば、予め割り当てられた画像ＩＤ番号やパスワード等を発番処理する。
【００２４】
顔画像サーバー３２は記憶装置の一例を構成し、撮影処理装置２０から登録される被撮影者５の画像情報及び情報管理装置３１によって発番処理される画像ＩＤ番号やパスワード等を記憶するようになされる。顔画像サーバー３２は記憶機能の他に情報処理制御機能を有している。この例で画像情報登録装置３０は、画像ＩＤ番号やパスワード等を予め作成すると共に、当該画像ＩＤ番号やパスワード等を被撮影者５の各々に通知するように操作される。
【００２５】
画像情報登録装置３０には、プリンタ３３が備えられ、情報管理装置３１により発番処理された画像ＩＤ番号やパスワード等に関して目視可能な文字情報の一例となる「団体撮影用の撮影受付カード」及び、情報読取可能な符号化情報の一例となるバーコードに分けて任意の記録媒体の一例となる所定の厚みの用紙に印刷し、これを出力して、この文字情報及び符号化情報が印刷された用紙（以下撮影カード１０という）を被撮影者５の各々に配布するようになされる。
【００２６】
また、撮影処理装置２０は、例えば、スキャナ１４、カメラ２１、モニタ２２、ハードディスク２３、操作手段２４、制御装置２５、画像処理手段２６、外部インターフェース２７及び通信モデム２８を有している。波線で囲んだモニタ２２、ハードディスク２３、操作手段２４、制御装置２５、画像処理手段２６、外部インターフェース２７及び通信モデム２８の部分は通常のデスクトップ型又はノード型のパソコン２０’に置き換えることが可能である。
【００２７】
スキャナ１４は、入力手段の一例であり、被撮影者５に予め通知された画像ＩＤ番号やパスワード等を入力するように操作される。画像ＩＤ番号やパスワード等は、撮影前に撮影カード１０として被撮影者５に予め通知される。スキャナ１４は、例えば、撮影カード１０の中のバーコードを読み取って復号化し画像ＩＤ番号やパスワード等を取得するようになされる。
【００２８】
カメラ２１は、撮影手段の一例であり、被撮影者５であるユーザ５を撮影してデジタルの顔画像データＤfa（撮影情報）を出力（取得）するようになされる。例えば、フォトカプセルの場合、被撮影者５はカメラ２１の前にセットされた椅子に着席して顔写真を撮影するようになされる。カメラ２１にはデジタルカメラが使用される。顔画像データＤfaは顔画像サーバー３２に登録するために取得される。
【００２９】
モニタ２２には被撮影者５であるユーザ５を撮影して得た上半身を含む顔画像が表示される。顔画像は画像処理手段２６で画像処理された後の表示データＤ２に基づいて表示される。顔画像サーバー３２に登録するための顔画像は、被撮影者であるユーザ５に確認してもらうようになされる。モニタ２２には液晶表示ディスプレイや、ＣＲＴ（陰極線管）が使用される。
【００３０】
ハードディスク（以下ＨＤＤという）２３には、顔画像データＤfaが一時格納される。顔画像データＤfaは、顔画像サーバー３２に登録するまでＨＤＤ２３で保持しておくことが好ましい。操作手段２４は、顔画像データＤfaを特定するための画像ＩＤ情報や、ユーザ５のパスワードを入力するように操作される。操作手段２４にはキーボードやマウスが使用される。この操作手段２４を使用して撮影日情報を入力してもよい。画像ＩＤ情報や、パスワード及び撮影日情報は、操作データＤ３として制御装置２５に出力される。
【００３１】
制御装置２５はカメラ２１によって取得された被撮影者５の顔画像データＤfaと、スキャナ１４で読み取った画像ＩＤ番号やパスワード等を結合処理するようになされる。この他に、制御装置２５は、カメラ２１、モニタ２２、ＨＤＤ２３、操作手段２４、外部インターフェース２６及び、通信モデム２７の入出力を制御する。制御装置２５は、例えば、ＲＯＭ（Read Only Memory）５１、ＲＡＭ（Random Access Memory）５２、ＣＰＵ（Central Processing Unit；中央処理ユニット）５３を有している。
【００３２】
ＲＯＭ５１には当該撮影装置全体を制御するためのシステムプログラムデータが格納される。ＲＡＭ５２はワークメモリとして使用され、例えば、制御コマンド等を一時記憶するようになされる。ＣＰＵ５３は電源がオンされると、ＲＯＭ５１からシステムプログラムデータを読み出してシステムを起動し、操作手段２４からの操作データＤ３に基づいて当該撮影装置全体を制御するようになされる。
【００３３】
外部インターフェース２６は、パーソナルコンピュータ等の外部装置からのデータＤinを入力したり、外部装置へデータＤoutを出力する場合に使用される。外部インターフェース２６には、ＣＤ−ＲＯＭドライバや、ＤＶＤドライバが含まれる。これらのドライバに光磁気ディスク（ＭＯ）１８を装着して顔画像データＤfaを記録するようになされる。ＭＯ１８は画像情報登録装置３０の設置場所に搬送される。通信モデム２７は、画像情報登録装置３０と通信処理する際に使用される。通信モデム２７にはＡＤＳＬ等の高速通信モデムが使用される。
【００３４】
この例で、プリンタ３３を画像情報登録装置側に設ける場合について説明したが、もちろん、これに限られることはなく、撮影処理装置２０にプリンタ３３’を備え、画像情報登録装置３０により発番処理された画像ＩＤ番号やパスワード等をインターネット２を通じて受信し、この画像ＩＤ番号やパスワード等に関して撮影システム側で、目視可能な「団体撮影用の撮影受付カード」及び情報読取可能なバーコードに分けて所定の厚みの用紙に印刷し、それを出力し、この文字情報及びバーコードが印刷された撮影カード１０を被撮影者５の各々に配布するようにしてもよい。
【００３５】
図２は、撮影画像登録システム１００を応用した団体撮影システム１０１の構成例を示す概念図である。
図２に示す団体撮影システム１０１は、図１に示した撮影画像登録システム１００を応用したものである。団体撮影システム１０１においては、行程＃１でパスポートや、身分証明書、図書館利用カード、学生証等を発行する各種機関又は学校等の団体から顔撮影を受注するようになされる。このような団体からの受注に対して撮影画像登録システム側では、行程＃２で撮影日を調整するようになされる。その後、画像情報登録装置３０を使用して行程＃３で被撮影者であるユーザ（例えば、学生等）５に発行するための画像ＩＤ番号やパスワード等の発番処理や、撮影カード１０を作成するようになされる。
【００３６】
画像ＩＤ番号やパスワード等は、所定の発番アプリケーションに基づいて発番される。撮影カード１０には、バーコードで印字されるファイル番号が記載される。ファイル番号は、画像ＩＤ番号とパスワードとを結合した番号（以下ＩＤ＋ＰＷともいう）である。撮影カード１０には、バーコードの他に、目視可能な「団体撮影用撮影受付カード」、画像ＩＤ番号、パスワード及び学校名等を印刷するようになされる。
【００３７】
撮影カード１０は、撮影カード作成アプリケーションに基づき、プリンタ３３によって作成される。情報管理装置３１は、プリンタ３３に画像ＩＤ番号とパスワードに関する印字データを出力したり、リスト作成アプリケーションに基づいて団体撮影用発行画像ＩＤ一覧表を表示するようになされる。もちろん、団体撮影用発行画像ＩＤ一覧表に係る印字データをプリンタ３３に出力する。プリンタ３３は、この印字データに基づいて団体撮影用発行画像ＩＤ一覧表を所定の用紙に出力するようになされる。
【００３８】
このシステム１０１では、行程＃４で撮影画像登録システム側から学校側等へ被撮影人数分の撮影カード１０を配布するようになされる。これと共に、撮影画像登録システム側から学校側には、団体撮影用発行画像ＩＤ一覧表（以下データ一覧リストという）が提出される。
【００３９】
学校側では行程＃５で被撮影者であるユーザ５の個々に、撮影カード１０が手渡され、ユーザ５はこれを受領する。撮影カード１０は、ランダムかつ自由に被撮影者５に配布される。その後、ユーザ５は行程＃６で撮影カード１０を持参して撮影画像登録システム１００へ出向く。撮影画像登録システム１００には図１に示したような撮影処理装置（簡易撮影装置）２０が準備されている。
【００４０】
撮影画像登録システム側では行程＃７でスキャナ１４によって撮影カード１０を読取るようになされる。例えば、スキャナ１４のバーコードリード機能によって、ファイル番号（ＩＤ＋ＰＷ）が読み取られる。その後、行程＃８でカメラ２１によって、被撮影者であるユーザ５の顔を撮影するようになされる（直接撮影）。この顔撮影によって、被撮影者であるユーザ（学生）５の顔画像データＤfaが得られる。撮影処理装置２０では画像処理手段２６によって例えば、ＪＰＥＧ形式の画像データに変換される。なお、撮影に当たって、撮影画像登録システム側から専属のカメラマンを派遣するようにしてもよい。フォトカプセルの場合は、専属のカメラマンを派遣することなく、音声ガイダンスを流して撮影を誘導するようにしてもよい。
【００４１】
そして、撮影画像登録システム側では行程＃９で顔画像データＤfaの登録処理をする。例えば、撮影処理装置２０では被撮影者５の顔画像データＤfaにファイル番号（ＩＤ＋ＰＷ）を関連付けて結合処理するようになされる。結合処理後の顔画像データ（Ｄfa＋ＩＤ＋ＰＷ）は、例えば、インターネット２を通じて撮影処理装置２０から画像情報登録業者の情報管理装置３１へ送信される。
【００４２】
その後、情報管理装置３１では行程＃１０でＪＰＥＧ方式の顔画像データ（Ｄfa＋ＩＤ＋ＰＷ）を顔画像サーバー３２に登録する。顔画像サーバー３２では団体撮影分の顔画像データ（Ｄfa＋ＩＤ＋ＰＷ）と個々人の顔画像データ（Ｄfa＋ＩＤ＋ＰＷ）とを分離して登録するようになされる。これは登録後の管理処理を簡単化するためである。
【００４３】
また、行程＃１１でユーザ５は撮影カード１０を自宅に持ち帰り、行程＃１２でＩＤカード発行機関に対して個人情報を登録する。ここに個人情報とは、氏名、住所、生年月日、学生証の発行年月日及びその有効期限等をいう。このとき、先に手渡された撮影カード１０から画像ＩＤ番号及びパスワードを参照して、パソコン４０のＷＥＢ画面からＩＤカード発行機関の管理サーバー４１に対して各個人が登録処理をするようになされる。
【００４４】
また、既に顔画像サーバー３２に登録して有る顔画像を行程＃１３で参照することができる。例えば、画像ＩＤ番号及びパスワードを指定して、図２に示す学生側のパソコン４０上に、先に撮影して登録した本人の顔画像を表示し、これを閲覧することができる。
【００４５】
その後、ＩＤカード発行機関側では、行程＃１４で管理サーバー４１に個人情報を登録するようになされる。ＩＤカード発行機関側では例えば、画像情報登録業者からユーザ５の顔画像データＤfaと取り寄せ、及び、ＩＤカード発行機関側で管理する個人情報とを結合して「学生証」等を作成し、本人に発行するようになされる。なお、撮影カード１０を紛失したり、画像ＩＤ番号や、パスワードを忘れた場合には、撮影画像登録システム１００のフォトカプセル又は写真店で顔を再撮影することで入手できる。
【００４６】
この団体撮影システム１０１の特徴は、撮影カード１０には、画像ＩＤ番号＋パスワードのみが印刷され、個人情報が一切印刷されない点にある。このようにすると、画像情報登録業者において、個人情報を管理する必要がなく、個人情報の問い合わせ業務を無くすことができる。
【００４７】
ＩＤカード発行機関側へ個人情報の登録は、個々人がＷＥＢ画面上で行うので、各個人により、顔画像の最終的な確認を行うことができる。従って、顔画像サーバー３２への登録時の間違えを容易に発見できるようになる。つまり、ユーザ５は顔画像サーバー３２に対して顔画像データＤfa＋画像ファイル（ＩＤ＋ＰＷ）を登録すれば、学生証のみならず、パスポートや、身分証明書、図書館利用カード等のＩＤカード１０の発行を受けられるようになる。もっとも、有効期限内の顔画像が顔画像サーバー３２に登録されている場合に限られる。
【００４８】
図３〜図５は、画像情報登録装置側における発番アプリ画像ＩＤ発行入力画面Ｐ１１〜Ｐ１３の表示例を示す図である。図３に示す発番アプリ画像ＩＤ発行入力画面Ｐ１１は、例えば、画像情報登録装置側の情報管理装置３１のモニタ３０１に表示される。この画面Ｐ１１は、団体撮影を行う場合に、撮影対象のユーザ一人一人に対して撮影される写真の画像ＩＤ番号及びパスワードを事前に発行するための画面であり、図示しないメニュー画面で、「発番アプリ画像ＩＤ発行入力」のアイコンを選択することで、メニュー画面から当該画面Ｐ１１へ遷移するようになされる。
【００４９】
図３において、モニタ３０１には、「発番アプリ画像ＩＤ発行入力」の文字情報が表示される。この文字表示領域の下方には、ご注文団体名称の項目と、その団体名称を記述する欄Ｗ１１が表示される。この欄Ｗ１１の下方には、撮影人数を記述する欄Ｗ１２が表示される。この欄Ｗ１２の下方には、発番担当者を記述する欄Ｗ１３が表示される。
【００５０】
この例では、団体撮影の受注により、情報管理装置３１のキーボード３０２やマウス３０３を使用して、欄Ｗ１１には注文団体名称として例えば、「○○商業高校」が記述される。欄Ｗ１２には撮影人数として例えば、「１００」が記述される。欄Ｗ１３には発番担当者として例えば、「鈴木一郎」が記述される。
【００５１】
この欄Ｗ１３の下方には、「発番」ボタンＫ１及び「終了」ボタンＫ２が表示される。発番担当者が「発番」ボタンＫ１をクリックすると、画像ＩＤ番号及び、パスワードの発番処理を行うようになされる。発番は撮影人数分一括して行われる。例えば、画像ＩＤ番号は１２桁の数値（受注番号＋撮影年（西暦下１桁）＋４７２−４９９、９７２−９９９＋通し番号＋チェックデジット）で表現される。パスワードはランダムな４桁の数値を割り当てて表現される。撮影人数が１０００名を越える場合は、通し番号が００１〜９９９であるため、９９９人単位で団体コードに分けられる。
【００５２】
なお、「終了」ボタンＫ２のクリックによってメニュー画面に戻るようになされる。このように、発番アプリ画像ＩＤ発行入力画面Ｐ１１で団体名、撮影人数、発番担当者名を入力し、「発番」ボタンＫ１をクリックすることにより、画像ＩＤ番号とパスワードとを発番することができる。
【００５３】
図４は発番アプリ画像ＩＤ発行入力画面Ｐ１２の表示例を示す図である。図４に示す発番アプリ画像ＩＤ発行入力画面Ｐ１２は、例えば、撮影人数が１０００名以上の場合の表示例を示している。この画面Ｐ１２もモニタ３０１に表示される。この画面Ｐ１２は、発番した画像ＩＤ番号に対する撮影カード１０及び団体撮影用発行画像ＩＤ一覧表を印刷する際に利用される。例えば、画面Ｐ１２には、一覧表から団体名を選択して印刷を行うモードが準備されている。
【００５４】
図４において、モニタ３０１には、「発番アプリ画像ＩＤ発行入力」の文字情報が表示される。この文字表示領域の下方には、発番データファイルの文字情報が表示される。この表示領域の下方には、「団体撮影用発行画像ＩＤ一覧表」を記述する欄Ｗ２１が表示される。この例で、団体撮影用発行画像ＩＤ一覧表は、団体コードの降順に表示するようになされる。
【００５５】
この欄Ｗ２１には、「シリアル番号欄」、「団体名」、「団体コード」、「人数」、「発番日時」の項目が表示される。ここに団体コードとは、発番アプリケーションで発番された、例えば、画像ＩＤ番号の先頭８桁の数値をいう。この例で、シリアル番号Ｎｏ．１には、団体名として「○○商業高校」が記述され、団体コードとして「０２３４８８０５」が記述され、人数に関して「１００」が記述され、発番日時として「２００３／０２／２７  １６：２７」が記述される。
【００５６】
同様にして、Ｎｏ．２には、団体名として「○○簿記高校」が記述され、団体コードとして「０２３４８８０４」が記述され、人数に関して「１００」が記述され、発番日時として「２００３／０２／２７  １６：２０」が記述され、Ｎｏ．３には、団体名として「△△簿記高校」が記述され、団体コードとして「０２３４８８０３」が記述され、人数に関して「１３０」が記述され、発番日時として「２００３／０２／２６  ０９：３２」が記述される。
【００５７】
この例で撮影人数が１０００名を越える団体撮影に関しては、団体コードが複数になるので、団体名の右側に○／○を付けて団体コードの降順に表示するようになされる。これは印刷処理に関して、１つの団体を１単位として取り扱うためである。この例では、シリアル番号Ｎｏ．４〜６に示すように、３つに分けて記述される。
【００５８】
Ｎｏ．４には、団体名として「□□簿記高校１／３」が記述され、団体コードとして「０２３４４８００」が記述され、人数に関して「９９９」が記述され、発番日時として「２００３／０２／２５  １２：００」が記述され、Ｎｏ．５には、団体名として「□□簿記高校２／３」が記述され、団体コードとして「０２３４４８０１」が記述され、人数に関して「９９９」が記述され、発番日時として「２００３／０２／２５．１２：００」が記述され、Ｎｏ．６には、団体名として「□□簿記高校３／３」が記述され、団体コードとして「０２３４４８０２」が記述され、人数に関して「８０」が記述され、発番日時として「２００３／０２／２５  １２：００」が各々記述される。
【００５９】
この欄Ｗ２１の下方には、「削除」ボタンＫ３、「一覧表印刷」ボタンＫ４、「撮影カード印刷」ボタンＫ５、「撮影カード個別印刷」ボタンＫ６及び「終了」ボタンＫ２が表示される。この画面Ｐ１２で、例えば、発番担当者が、ある団体名の発番画像ファイルを削除しようとするとき、マウス３０３のカーソル機能を利用して、その団体名を選択し、「削除」ボタンＫ３をクリックすることで、選択した団体名の発番画像ファイルを削除することができる。
【００６０】
また、ある団体名の発番画像ファイルの一覧表を印刷しようとするとき、マウス３０３のカーソル機能を利用して、その団体名を選択し、「一覧表印刷」ボタンＫ４をクリックすると、選択した団体名の発番画像ファイルの一覧表をプリンタ３３によって印刷できるようになされる。一覧表は、各団体又は撮影画像登録業者側で管理用に保管するようになされる。
【００６１】
同様にして、「撮影カード印刷」ボタンＫ５をクリックすると、選択した団体の撮影カード１０をプリンタ３３によって一括で印刷できるようになされる。撮影カード１０には、画像ＩＤ番号及び、パスワードが印刷される。撮影カード１０は、写真撮影時にユーザ５の一人一人に渡されるものである。
【００６２】
また、「撮影カード個別印刷」ボタンＫ６をクリックすると、発番アプリ画像ＩＤ発行入力画面Ｐ１２から撮影カード個別印刷画面に表示を切換えるようになされる。「一覧表印刷」ボタンＫ４をダブルクリックした場合も、撮影カード個別印刷画面に表示切換するようになされる。なお、「終了」ボタンＫ２のクリックにより、メニュー画面に戻るようになされる。
【００６３】
図５は発番アプリ画像ＩＤ発行入力画面Ｐ１３の表示例を示す図である。図５に示す画面Ｐ１３は、例えば、図４に示した発番アプリ画像ＩＤ発行入力画面Ｐ１２で、団体撮影用発行画像ＩＤ一覧表の中から団体名を選択した場合に、表示画面が遷移するようになされる。発番アプリ画像ＩＤ発行入力画面Ｐ１３もモニタ３０１に表示される。
【００６４】
図５に示すモニタ３０１において、「発番アプリ画像ＩＤ発行入力」の文字情報の下方の欄Ｗ１１には、例えば、「○○商業高校」が表示される。この欄Ｗ１１の下方には、撮影カードの発行番号ＮＯを表すための、最下位の番号を記述する欄Ｗ３１が表示される。この欄Ｗ３１の右側には、その最上位の番号を記述する欄Ｗ３２が表示される。発行番号ＮＯは、一覧表印刷時に画像ＩＤ番号の左側に印刷される番号である。
【００６５】
この欄Ｗ３１及び、Ｗ３２の下方には、画像ＩＤ番号の最下位の番号（ＦＲＯＭ）を記述する欄Ｗ３３が表示される。この欄Ｗ３３の右側には、その最上位の番号（ＴＯ）を記述する欄Ｗ３４が表示される。この例で欄Ｗ３３には画像ＩＤ番号として最下位（ＦＲＯＭ）の番号「０２３４４８０２００１５」が表示され、その最上位（ＴＯ）の番号「０２３４４８０２００２１」が各々表示される。なお、発行番号ＮＯ、画像ＩＤ番号は「ＦＲＯＭ」〜「ＴＯ」の指定が可能であるが、「ＦＲＯＭ」のみを入力した場合は、指定した画像ＩＤ番号に対する撮影カード１０のみが印刷される。「ＴＯ」のみの指定はエラー扱いとなされる。
【００６６】
この欄Ｗ３３及び、Ｗ３４の下方には、「印刷」ボタンＫ７及び「終了」ボタンＫ２が表示される。この画面Ｐ１３で、発番担当者が、欄Ｗ３１〜Ｗ３４に数値を記述して指定し、「印刷」ボタンＫ７をクリックすると、指定した撮影カード１０をプリンタ３３で印刷するようになされる。このように、画面Ｐ１３で撮影カード１０の発行番号ＮＯ、若しくは、画像ＩＤ番号を入力して、「印刷」ボタンＫ７を押すと、撮影カード１０を印刷するようになされる。なお、「終了」ボタンＫ２でメニュー画面に戻るようになされる。
【００６７】
図６は団体撮影用発行画像ＩＤ一覧表の印刷例を示す図である。図６に示す団体撮影用発行画像ＩＤ一覧表は、図１に示したプリンタ３３又は、撮影処理装置２０のプリンタ３３’でプリントアウトされるものである。団体撮影用発行画像ＩＤ一覧表は、図４で選択された団体名に関するものであり、図５の「印刷」ボタンＫ７のクリックによって印刷される。団体撮影用発行画像ＩＤ一覧表は、例えば、Ａ４サイズの用紙７０に横向きに印刷される。印刷の順番は、例えば、画像ＩＤ番号の昇順で実行される。
【００６８】
この用紙７０には、「団体撮影用発行画像ＩＤ一覧表」の題名、発番日時、発番担当者が記述される。これと共に、例えば、「学園法人○○○○学園    ○○○○○○専門学校  様」が印刷される。この印刷領域の下方には、シリアル番号Ｎｏ、１２桁の画像ＩＤ番号、パスワード、備考欄が各々割り当てられる。
【００６９】
この例で、シリアル番号Ｎｏ１に対して、画像ＩＤ番号（ＩＤ）として「０２３４  ８８０５  ００１５」が印刷され、パスワード（ＰＷ）として「３６２９」が印刷され、Ｎｏ２に対してＩＤ＝「０２３４  ８８０５  ００２１」が印刷され、ＰＷ＝「６３４１」が印刷され、Ｎｏ３に対してＩＤ＝「０２３４  ８８０５  ００３０」が印刷され、ＰＷ＝「８５３６」が印刷され、Ｎｏ４に対してＩＤ＝「０２３４  ８８０５  ００４９」が印刷され、ＰＷ＝「５５６２」が印刷される。
【００７０】
また、Ｎｏ５に対してＩＤ＝「０２３４  ８８０５  ００５０」が印刷され、ＰＷ＝「３６４８」が印刷され、Ｎｏ６に対してＩＤ＝「０２３４  ８８０５  ００６６」が印刷され、ＰＷ＝「２６４４」が印刷され、Ｎｏ７に対してＩＤ＝「０２３４  ８８０５  ００７２」が印刷され、ＰＷ＝「７４８５」が印刷され、Ｎｏ８に対してＩＤ＝「０２３４  ８８０５  ００８７」が印刷され、ＰＷ＝「３４１８」が印刷される。
【００７１】
更に、Ｎｏ９に対してＩＤ＝「０２３４  ８８０５  ００９４」が印刷され、ＰＷ＝「４１３５」が印刷され、Ｎｏ１０に対してＩＤ＝「０２３４  ８８０５  ０１０３」が印刷され、ＰＷ＝「６５３７」が各々印刷される。なお、備考欄は、各団体又は撮影画像登録業者側において、手書きメモリ欄として使用される。この団体撮影用発行画像ＩＤ一覧表が印刷された用紙７０は、各団体又は撮影画像登録業者側で保管するようになされる。
【００７２】
図７は撮影カード１０の構成例を示す図である。図７に示す撮影カード１０は、図１に示したプリンタ３３又は、撮影処理装置２０のプリンタ３３’でプリントアウトされるものである。
【００７３】
撮影カード１０は、図４で選択された団体名に関するものであり、図４の「撮影カード印刷」ボタンＫ５のクリックによって印刷される。撮影カード１０は、例えば、Ａ６サイズの用紙に縦向きに印刷される。写真撮影時に、ユーザ５の一人一人に渡されるものである。
【００７４】
この撮影カード１０には、「団体撮影用  撮影受付カード」の名称、発番日時、発番担当者、及びシリアル番号Ｎｏ１が印刷される。これと共に、例えば、「学園法人○○○○学園    ○○○○○○専門学校  様」が印刷される。この印刷領域の下方には、「氏名」や、図示しない「学籍番号」の記入欄Ｗ４０が割り当てられる。記入欄Ｗ４０は例えば、３行分が用意される。第１行目のタイトルは「氏名」と「学籍番号」である。第２及び３行目には特にタイトルは記述しない。「氏名」、「学籍番号」は空欄で印刷される。「氏名」や、「学籍番号」等は、当該撮影カード１０を受け取った後に、ユーザ５によって記入して頂くようになる。
【００７５】
この記入欄Ｗ４０の下方には「ＩＤカードを注文する際には、以下の画像ＩＤ番号及びパスワードを使用してください」なる文字情報及び、画像ＩＤ番号として例えば、「０２３４  ８８０５  ００１５」、パスワードとして「３６２９」が印刷される。
【００７６】
この印刷領域の下方には、「ＩＤカード注文受付ホームページ」の文字情報と共に、例えば、「ｈｔｔｐ：／／ｈｏｇｅｈｏｇｅ．ｃｏｍ／」等のＵＲＬ（Ｕniform  Ｒesource  Ｌocator）が印刷される。ＵＲＬの印刷領域の下方には、バーコードＢＣが印刷される。このバーコードＢＣの種類は、例えば、「ＮＷ７」形式であり、画像ＩＤ番号＋パスワード（１６桁）で表現するようになされる。バーコードＢＣは顔撮影時に撮影処理装置２０のスキャナ１４のバーコードリード機能を利用して読み取られるようになされる。
【００７７】
図８は、撮影処理装置２０におけるログイン表示画面Ｐ２１の表示例を示す図である。この例では、撮影処理装置２０におけるパソコン２０’の機能により、撮影画像登録管理業者の情報管理装置３１を通じて顔画像サーバー３２にログインするようになされる。
【００７８】
図８に示すログイン表示画面Ｐ２１は、団体撮影で取得したＪＰＥＧ形式の顔画像データＤfaを顔画像サーバー３２にアップロードする際に、例えば、撮影処理装置２０におけるモニタ２２に表示される。モニタ２２には、「ログイン」の文字情報が表示される。ログイン表示画面Ｐ２１では、入力した内容で顔画像サーバー３２に認証チェックが行われ、その認証チェック結果に基づいて、アップロード表示画面Ｐ２２に移行するようになされる。
【００７９】
「ログイン」の文字情報の表示領域の下方には、担当者情報を記述する欄Ｗ４１、Ｗ４２が設けられる、欄Ｗ４１には担当者ＩＤが記述され、及び、欄Ｗ４２にはパスワードが記述される。担当者情報を記述欄の右側には、撮影情報を記述する欄Ｗ４３、Ｗ４４が設けられる、欄Ｗ４３には撮影日、例えば、「２００３．０３．３１」が記述される。欄Ｗ４４には団体名、例えば、「○○商業高校」が記述される。
【００８０】
これらの記述欄の下方には、ネットワークに係る情報を記述する欄Ｗ４５〜Ｗ４１２が設けられる。例えば、「プロキシサーバーを使用する」の文字情報が表示される。この文字表示領域の下方には、Ｗｅｂプロシキに係る記述欄Ｗ４５が表示され、そのポートに係る記述欄Ｗ４６が表示され、ユーザＩＤに係る記述欄Ｗ４７が表示され、そのパスワードに係る記述欄Ｗ４８が表示される。
【００８１】
また、Ｓｅｃｕｒｅプロシキに係る記述欄Ｗ４９及び、そのポートに係る記述欄Ｗ４１０が表示され、同様にして、ユーザＩＤに係る記述欄Ｗ４１１が表示され、そのパスワードに係る記述欄Ｗ４１２が各々表示される。これらネットワークで設定した内容は、ファイルに保存するようになされる。
【００８２】
ネットワークに係る情報を記述する欄Ｗ４５〜Ｗ４１２の下方には、「ログイン」ボタンＫ８及び、「終了」ボタンＫ９が表示される。例えば、顔画像撮影者側の担当者は、撮影処理装置２０におけるパソコン２０’のキーボード２４Ａ又はマウス２４Ｂを使用して担当者ＩＤ、パスワード、撮影日（ＹＹＹＹＭＭＤＤ）、団体名称を入力し、「ログイン」ボタンＫ８を押下して認証チェックを行う。担当者ＩＤ、パスワードは撮影画像登録管理業者より発行されたものを使用する。
【００８３】
プロキシサーバーを使用して撮影画像登録管理業者と通信する場合は、ネットワーク情報を入力するようになされる。設定内容はファイルに保存しておき、次に、このログイン表示画面Ｐ２１を開いたときに、その内容を表示するようになされる。なお、「終了」ボタンＫ９のクリックによりアプリケーションを終了する。
【００８４】
図９は撮影処理装置２０におけるアップロード表示画面Ｐ２１の表示例を示す図である。この例では、撮影処理装置２０におけるパソコン２０’の機能により、撮影画像登録管理業者の情報管理装置３１を通じて顔画像データＤfaを顔画像サーバー３２にアップロードするようになされる。
【００８５】
図９に示すアップロード表示画面Ｐ２２は、団体撮影して得たＪＰＥＧ形式の顔画像データＤfaを顔画像サーバー３２にアップロードする際に、モニタ２２に表示される。モニタ２２には、「アップロード」の文字情報が表示される。アップロード表示画面Ｐ２２では、顔画像データＤfaが保存されているフォルダを指定して画像一覧表が表示される。
【００８６】
「アップロード」の文字表示領域の下方において、団体名称を記述する記述欄Ｗ４４には、「○○商業高校」が表示される。その下方の画像場所の記述欄Ｗ４１３には、「ｃ：￥×××￥００００３４７２」が表示される。この記述欄Ｗ４１３の下方には、画像ファイル一覧表の記述欄Ｗ４１４が表示される。記述欄Ｗ４１４には、「状況」、「ファイル名」、「サイズ（ＫＢ）」、「作成日」の項目が表示される。「状況」の項目にはレ点等のチェックがなされる。
【００８７】
この例で、ファイル名「０００３４７２００１６ｊｐｇ」には、顔画像データＤfaに関してサイズ＝５００、作成日に関して「２００３／０３／２０」が表示される。ファイル名「０００３４７２００２５ｊｐｇ」には、顔画像データＤfaに関してサイズ＝５００、作成日に関して「２００３／０３／２０」が表示される。ファイル名「０００３４７２００３１ｊｐｇ」には、顔画像データＤfaに関してサイズ＝５００、作成日に関して「２００３／０３／２０」が表示される。ファイル名「０００３４７２００４３ｊｐｇ」には、顔画像データＤfaに関してサイズ＝５００、作成日に関して「２００３／０３／２０」が各々表示される。
【００８８】
この記述欄Ｗ４１４の下方には、「アップロード」ボタンＫ１０、「個別アップロード」ボタンＫ１１、「中止」ボタンＫ１２、「終了」ボタンＫ９が表示される。例えば、担当者が「アップロード」ボタンＫ１０をクリックすると、一覧に表示されている全てのファイル名の顔画像データＤfaを一括して顔画像サーバー３２にアップロード（登録）することができる。
【００８９】
また、「個別アップロード」ボタンＫ１１に基づいて一覧表で選択されている画像をアップロードすることも可能である（複数選択機能）。例えば、パソコン２０’のマウス２４Ｂのカーソル機能を利用して、ファイル名「０００３４７２００１６ｊｐｇ」及び、「０００３４７２００２５ｊｐｇ」を選択（図中網掛け部分）し、「個別アップロード」ボタンＫ１１をクリックすると、一覧表で網掛け表示されているファイル名の顔画像データＤfaを顔画像サーバー３２にアップロード（登録）することができる。
【００９０】
このような「アップロード」ボタンＫ１０もしくは「個別アップロード」ボタンＫ１１をクリックすると、通信モデム２７によって所定の通信プロトコル（ｈｔｔｐｓ等）により顔画像データＤfaを顔画像サーバー３２に送信するようになされる。この例では表示領域Ｐ２２’で、アップロード状況をステータスバー表示するようになされる。
【００９１】
アップロードを完了したファイル名には、一覧表の「状況」項目にレ点が記述され、チェック状態になる。アップロードに失敗したら、失敗した旨のメッセージが表示され、アップロード処理を中止するようになる。アップロード正常完了時にも「正常に終了した」旨のメッセージがモニタ２２に表示するようになされる。
【００９２】
なお、顔画像データＤfaＢの登録を中止する場合は、「中止」ボタンＫ１２をクリックすることで、アップロードを中止するようになされる。「終了」ボタンＫ９のクリックによりアプリケーションを終了する。また、記述欄Ｗ４１４の右上部には、「参照」ボタンＫ１３が表示される。「参照」ボタンＫ１３をクリックすると、周知のオペレーティングシステム（Ｗｉｎｄｏｗｓ（Ｒ）等）により、フォルダの参照ダイアログ画面Ｐ２３を表示するようになされる。参照ダイアログ画面Ｐ２３で、例えば、「マイコンピュータ」をクリックし、「ＯＫ」ボタンＫ１４をクリックすると、フォルダを選択できるようになされる。
【００９３】
続いて、本発明に係る撮影画像登録方法について、発番処理＆撮影カード作成例、団体撮影時の処理例及び、アップロード処理の３つに分けて説明をする。
【００９４】
［発番処理＆撮影カード作成例］
図１０は発番処理＆撮影カード作成例を示すフローチャートである。この例では、団体撮影の受注により、図３に示した情報管理装置３１がそのオペレーティングシステムにより立ち上げられ、図示しないメニュー画面が表示される。情報管理装置３１では、被撮影者であるユーザ５の属性、例えば、学生、一般社会人等に応じた画像ＩＤ番号やパスワード等を予め割り当てて発番処理するようになされる。画像ＩＤ番号やパスワード等には、被撮影者であるユーザ５を特定するためのパスワード又は、ユーザ５の撮影画像を特定するための画像ＩＤ情報を含むものである。
【００９５】
これを前提にして、図１０に示すフローチャートのステップＡ１で情報管理装置３１のモニタ３０１に、図３に示した発番アプリ画像ＩＤ発行入力画面Ｐ１１を表示する。発番アプリ画像ＩＤ発行入力画面Ｐ１１は、図示しないメニュー画面で発番処理＆撮影カード作成を選択することで表示される。図３に示した発番アプリ画像ＩＤ発行入力画面Ｐ１１には、キーボード３０２やマウス３０３を使用して、欄Ｗ１１には注文団体名称として「○○商業高校」が記述される。欄Ｗ１２には撮影人数「１００」が記述される。欄Ｗ１３には発番担当者「鈴木一郎」が記述される。
【００９６】
そして、発番担当者は、ステップＡ２で「発番」ボタンＫ１をクリック（押下）する。このクリックによって、発番処理がなされ、ステップＡ３でモニタ３０１の発番アプリ画像ＩＤ発行入力画面Ｐ１２には「団体撮影用発行画像ＩＤ一覧表」を表示するようになされる。その後、ステップＡ４で情報管理装置３１は、一括又は個別印刷モードに基づいて制御を分岐する。一括印刷モードとは、ステップＡ４で「一覧表印刷」ボタンＫ４がクリックされた場合、これに基づく印刷動作をいう。個別印刷モードとは、ステップＡ４で「撮影カード個別印刷」ボタンＫ６がクリックされた場合、それに基づく印刷動作をいう。
【００９７】
一括印刷モードの場合は、ステップＡ５に移行して情報管理装置３１は発番アプリ一覧表印刷機能を実行する。このとき、図４に示した発番アプリ画像ＩＤ発行入力画面Ｐ１２には、発番データファイルの文字情報や、「団体撮影用発行画像ＩＤ一覧表」が表示される。
【００９８】
情報管理装置３１は、プリンタ３３に団体撮影用発行画像ＩＤ一覧表に表示された印字情報を全て出力する。プリンタ３３は、これらの印字情報に基づいて撮影カード１０を印刷する。情報管理装置３１は、ステップＡ７でプリンタ３３に全部印刷したかを問い合わせそのチェックをする。この問い合わせに関してプリンタ３３は、情報管理装置３１にステータスを返信する。この返信結果で、撮影カード１０を全部印刷していない場合は、ステップＡ５に戻って印刷処理を繰り返すように情報管理装置３１はプリンタ３３を制御する。
【００９９】
また、ステップＡ４で「撮影カード個別印刷」ボタンＫ６がクリックされた場合は、ステップＡ７に移行する。ステップＡ７で、モニタ３０１の発番アプリ画像ＩＤ発行入力画面Ｐ１３には、撮影カード個別印刷項目として、図５に示した「○○商業高校」が表示され、画像ＩＤ番号の記述欄Ｗ３３には最下位の番号「０２３４４８０２００１５」や、その最上位の番号「０２３４４８０２００２１」等が表示される。そして、発番担当者は、ステップＡ８で「印刷」ボタンＫ７をクリックする。
【０１００】
このクリックによって、プリンタ３３は、ステップＡ９で個別印刷モードに基づく撮影カード個別印刷処理をする。そして、ステップＡ１０に移行して情報管理装置３１は、プリンタ３３に対して個別印刷モードに基づく印刷を終了したかを問い合わせそのチェックをする。この問い合わせに関してプリンタ３３は、情報管理装置３１にステータスを返信する。
【０１０１】
この返信結果で、個別印刷モードに基づく撮影カード１０を全部印刷していない場合は、ステップＡ９に戻って印刷処理を繰り返すように情報管理装置３１はプリンタ３３を制御する。撮影カード１０の印刷処理終了により制御を終了する。これにより、一括又は個別印刷モードに基づいて撮影カード１０を印刷することができる。印刷後の撮影カード１０は例えば、学校側を経由してユーザ（学生）５に配布される。
【０１０２】
［団体撮影時の処理例］
図１１及び図１２は団体撮影時の処理例（その１、２）を示すフローチャートである。この処理例では、ユーザ（学生等）５に撮影カード１０が既に配布されている場合を前提とし、撮影システムに関しては、撮影担当者が駐在する写真撮影ボックスを想定する。スキャナ１４は、撮影カード１０の中のバーコードＢＣを読み取って復号化し、ここで復号化された画像ＩＤ番号やパスワード等を取得するようになされる。撮影処理は団体撮影人数分だけ繰り返すようになされる。
【０１０３】
これらを処理条件にして、図１１に示すフローチャートのステップＢ１で撮影担当者は、被撮影者であるユーザ５から撮影カード１０を受け取る。そして、ユーザ５は、写真撮影ボックス内に入り、ボックス内に備え付けの椅子に着席する。
【０１０４】
その後、ステップＢ２で撮影担当者はスキャナ１４を使用して撮影カード１０のバーコードＢＣを読み取るようになされる。このとき、スキャナ１４は、バーコードリード機能により、バーコードＢＣを解読して画像ＩＤ番号及びパスワードを取得するようになされる。画像ＩＤ番号及びパスワード読取後の撮影カード１０はユーザ１０に返却される。
【０１０５】
そして、ステップＢ３で画像ＩＤ番号及びパスワードが読み取られたか否かを判別する。この際の判別は、撮影担当者である。読取りエラーの場合は、ステップＢ４に移行してキーボード２４Ａやマウス２４Ｂ等の操作手段２４を使用して画像ＩＤ番号を手入力するようになされる。その後、ステップＢ５に移行する。
【０１０６】
ステップＢ５で撮影担当者は、画像ＩＤ番号及びパスワードを確認した後に、ステップＢ６に移行する。ステップＢ６で撮影担当者は、カメラ２１の図示しない撮影ボタンをクリックする。この撮影ボタンをクリックしてから顔画像データＤfaがＨＤＤ２３に取り込むまで、例えば、１５秒程度を要する。
【０１０７】
その後、ステップＢ７に移行して制御装置２５は、ＨＤＤ２３に取り込まれた顔画像をモニタ２２に表示するように制御する。そして、ステップＢ８に移行して撮影担当者は、ユーザ５に対して「ＯＫ」か否かの同意を得る。このとき、モニタ２２に「ＯＫ」か否かのアイコンを表示し、操作手段２４を使用して、ユーザ５にクリックしてもらうようにしてもよい。
【０１０８】
なお、目つぶり等により、顔画像として相応しくなく、同意が得られない場合（ＮＧ）は、ステップＢ９に移行して顔画像を取り直すために再度、カメラ２１の撮影ボタンをクリックするようになされる。その後、ステップＢ７に戻って撮影顔画像をモニタ画面に表示するようになされる。
【０１０９】
ステップＢ８でユーザ５の同意が得られた場合（ＯＫ）は、図１２に示すフローチャートのステップＢ１０に移行して、撮影担当者は、操作手段２４の図示しない確認ボタンをクリックする。この確認ボタンのクリックによって、被撮影者であるユーザ５の顔画像が確定する。そして、ステップＢ１１に移行してＨＤＤ内の撮影画像一時格納フォルダに顔画像データＤfaを保存する。このとき、顔画像データＤfaには、先にスキャナ１４で読み取られた画像ＩＤ番号＋パスワードや、撮影日情報が結合される。
【０１１０】
その後、ステップＢ１２に移行して他の被撮影者であるユーザ５の顔撮影を終了したかを判別する。他のユーザ５の顔撮影を終了していない場合（他のユーザ５の撮影が有る場合）は、ステップＢ１に戻って団体撮影人数分の上述した処理を繰り返すようになされる。
【０１１１】
他のユーザ５の顔撮影を全て終了した場合（他のユーザ５の撮影が無い場合）は、ステップＢ１３に移行する。ステップＢ１３では、ＨＤＤ内の別のフォルダに顔画像データＤfaをバックアップする。その後、ステップＢ１４に移行して顔画像データＤfaの搬送形態を選択して制御を分岐する。光磁気ディスク（ＭＯ）による搬送形態（以下ＭＯ搬送形態という）を採る場合は、ステップＢ１５に移行する。
【０１１２】
ステップＢ１５では、ＭＯ１８を外部インターフェース２８に装着し、顔画像データＤfaをＭＯ１８に格納して撮影画像登録管理系に搬送する。例えば、ＭＯ１８はバイク便、宅配便等により陸路、海路、又は空路を搬送される。その後、ステップＢ１７に移行する。
【０１１３】
データ送信形態を採る場合は、ステップＢ１６に移行する。ステップＢ１６では、顔画像データＤfaを撮影画像登録管理系にアップロードする。その後、ステップＢ１６に移行して、ＨＤＤ内の撮影画像一時格納フォルダに保存されている顔画像データＤfaを全て消去して処理を終了する。これにより、撮像カード１０に基づいて被撮影者であるユーザ５の顔画像を撮影すること、及び、ユーザ５に画像ＩＤ番号及びパスワードを配布すること、顔画像データＤfaを撮影画像登録管理系にアップロードできるようになる。
【０１１４】
［アップロード処理例］
図１３は撮影処理装置２０におけるアップロード処理例を示すフローチャートである。この処理例では、撮影処理装置２０におけるパソコン２０’の機能により、撮影画像登録管理業者の情報管理装置３１を通じて顔画像サーバー３２に顔画像データＤfaをアップロードするようになされる。顔画像データＤfaには、担当者のＩＤ番号、パスワード、撮影日情報、画像ＩＤ番号、画像パスワード、画像ファイルチェックサム値、画像ファイル及び、団体名称等の添付情報が結合される場合を例に挙げる。
【０１１５】
これを処理条件にして、図１３に示すフローチャートのステップＣ１で担当者は、キーボード２４Ａ及びマウス２４Ｂを使用してＩＤ番号及びパスワードを入力する。これにより、図８に示したモニタ２２には、ログイン表示画面Ｐ２１が表示され、キーボード２４Ａ等により入力操作される内容で顔画像サーバー３２に認証チェックが行われる。
【０１１６】
この認証チェック結果に基づいて、ステップＣ２でログイン表示画面Ｐ２１からアップロード表示画面Ｐ２２へ表示遷移するようになされる。このとき、図９に示したアップロード表示画面Ｐ２２には、「アップロード」の文字情報や、「○○商業高校」の団体名称等が表示される。顔画像データＤfaの格納場所に関しては、「ｃ：￥×××￥００００３４７２」が表示される。このようなアップロード表示画面Ｐ２２で、顔画像データＤfaが保存されているフォルダを指定すると、画像一覧表が表示される。
【０１１７】
そして、ステップＣ３で担当者が「アップロード」ボタンＫ１０をクリックする。このクリックにより制御装置２５を受けた画像処理手段２６では、認証された担当者のＩＤ番号、パスワード、撮影日情報、画像ＩＤ番号、画像パスワード、画像ファイルチェックサム値、画像ファイル及び、団体名称等の添付情報が顔画像データＤfaに結合される。
【０１１８】
その後、これらの添付情報が結合された顔画像データＤfaは、ステップＣ４で通信モデム２７によって所定の通信プロトコル（ｈｔｔｐｓ等）により顔画像データＤfaを撮影画像登録管理業者に送信するようになされる。例えば、顔画像データＤfaは、通信モデム２７、インターネット２を経由して情報管理装置３１から顔画像サーバー３２へ送信される。
【０１１９】
そして、ステップＣ５で制御装置２５では、顔画像データＤfa＋添付情報を全部、顔画像サーバー３２へ送信したか否をチェックする。この際のチェックは、周知の終了フラグを検出することで判断される。終了フラグは一連の顔画像データＤfa＋添付情報の最終データを示すものである。この例では、図９に示した表示領域Ｐ２２’で、アップロード状況をステータスバー表示するようになされる。
【０１２０】
顔画像データＤfa＋添付情報を全部、顔画像サーバー３２へ送信していない場合は、ステップＣ４に戻って顔画像データＤfa＋添付情報の送信処理を継続すべく通信モデム２７を制御する。顔画像データＤfa＋添付情報の全送信終了により、アップロード処理を終了する。
【０１２１】
なお、アップロードを完了したファイル名には、一覧表の「状況」項目にレ点が記述され、チェック状態になる。これにより、ユーザ５は顔画像サーバー３２に対して顔画像データＤfa＋画像ファイル（ＩＤ＋ＰＷ）を登録することができ、以後、顔写真の有効期限内であれば、学生証のみならず、パスポートや、身分証明書、図書館利用カード等のＩＤカード１０の発行を受けられるようになる。
【０１２２】
このように、本発明に係る実施例としての撮影画像登録システム及び、撮影画像登録方法によれば、撮影後の各々のユーザ５の顔画像データＤfaを識別するための画像ＩＤ番号やパスワード等に基づいて当該被撮影者であるユーザ５の顔画像を登録する場合に、情報管理装置３１は、その画像ＩＤ番号やパスワード等を予め作成すると共に、撮影前に、当該画像ＩＤ番号やパスワード等を印刷した撮影カード１０を被撮影者となるユーザ５の各々に通知するように操作される。
【０１２３】
これを前提にして、撮影時には、ユーザ５に予め通知された画像ＩＤ番号やパスワード等を含む撮影カード１０が撮影処理装置２０のスキャナ１４に読み取られる。また、当該ユーザ５がカメラ２１により撮影され、顔画像データＤfaが取得される。更に、被撮影者５の顔画像データＤfaに画像ＩＤ番号やパスワード等を関連付けて結合処理される。顔画像サーバー３２には、撮影処理装置２０によって情報結合処理されたユーザ５の顔画像データＤfa＋ＩＤ＋ＰＷ等が登録される。
【０１２４】
従って、予め各々の被撮影者５に通知した画像ＩＤ番号やパスワード等と、当該ユーザ５の顔画像データＤfaとを撮影処理装置２０で容易に結合することができ、被撮影者となるユーザ５が多くなった場合であっても、従来方式に比べて登録処理を複雑化することなく、ユーザ５の撮影画像を容易かつ円滑に登録することができる。しかも、画像ＩＤ情報やパスワード等を含めた撮影カード１０を被撮影者となるユーザ５を撮影する前に通知できるので、顔画像登録に際して、従来方式のように、被撮影者となるユーザ５の画像を撮影した後に、当該ユーザ５から提供されるパスワードを入力する手間や、このパスワードと顔画像データＤfaとを照合し結合する処理を省略することができる。
【０１２５】
また、画像ＩＤ番号やパスワード等を関連付したユーザ５の顔画像データＤfaが顔画像サーバー３２に登録されると、予め被撮影者５に通知している撮影カード１０に印刷された画像ＩＤ番号やパスワード等に基づいて、予め登録された顔画像データＤfaを読み出し、このユーザ５の顔画像データＤfaに基づいて顔画像を含む任意の媒体、例えば、各種試験の顔画像入りの申請書類、受験票、身分証明書等をインターネットを利用して注文できるようになる。
【産業上の利用可能性】
【０１２６】
この発明は、パスポートや、身分証明書、図書館利用カード、各種学校における学生証等に形成する顔写真を電子データで提供する団体撮影サービスシステム等に適用して極めて好適である。
【図面の簡単な説明】
【０１２７】
【図１】本発明の実施例としての撮影画像登録システム１００の構成例を示す概念図である。
【図２】撮影画像登録システムを応用した団体撮影システム１０１の構成例を示す概念図である。
【図３】画像情報登録装置側における発番アプリ画像ＩＤ発行入力画面Ｐ１１の表示例を示す図である。
【図４】画像情報登録装置側における発番アプリ画像ＩＤ発行入力画面Ｐ１２の表示例を示す図である。
【図５】画像情報登録装置側における発番アプリ画像ＩＤ発行入力画面Ｐ１３の表示例を示す図である。
【図６】団体撮影用発行画像ＩＤ一覧表の印刷例を示す図である。
【図７】撮影カード１０の印刷例を示す図である。
【図８】撮影処理装置２０におけるログイン表示画面Ｐ２１の表示例を示す図である。
【図９】撮影処理装置２０におけるアップロード表示画面Ｐ２２の表示例を示す図である。
【図１０】発番処理＆撮影カード作成例を示すフローチャートである。
【図１１】団体撮影時の処理例（その１）を示すフローチャートである。
【図１２】団体撮影時の処理例（その２）を示すフローチャートである。
【図１３】撮影処理装置２０におけるアップロード処理例を示すフローチャートである。
【符号の説明】
【０１２８】
２  インターネット（通信手段）
１１  撮影カード（記録媒体）
１４  スキャナ（入力手段）
２０  撮影処理装置
２１  カメラ
２２  モニタ
２３  ハードディスク（ＨＤＤ）
２４  操作手段
２５  制御装置
２６  画像処理手段
２７  通信モデム
３０  画像情報登録装置
３１  情報管理装置
３２  顔画像サーバー（記憶装置）
３３，３３’  プリンタ
４０  パーソナルコンピュータ
１００  撮影画像登録システム
１０１  団体撮影システム
【図１】
2005196293.tif 000003
【図２】
2005196293.tif 000004
【図３】
2005196293.tif 000005
【図４】
2005196293.tif 000006
【図５】
2005196293.tif 000007
【図６】
2005196293.tif 000008
【図７】
2005196293.tif 000009
【図８】
2005196293.tif 000010
【図９】
2005196293.tif 000011
【図１０】
2005196293.tif 000012
【図１１】
2005196293.tif 000013
【図１２】
2005196293.tif 000014
【図１３】
2005196293.tif 000015